(57)【特許請求の範囲】
【請求項１】
空気の吸込口及び該空気の吹出口が形成された筺体と、前記筺体内の空気を前記吹出口から該筺体の外に出すファンとを備えた室内機を有する空調装置において、
前記吸込口から前記筺体内に取り込んだ前記空気を下向きに案内するガイド部材と、下向きに進行中の前記空気が通過するフィルタとを前記筺体内に設け、
前記筺体に、前記吸込口が形成された背面パネルと、前記背面パネルに対向配置され開口部Ａが形成された前面パネルとを設け、
前記フィルタが取り付けられ、前記開口部Ａを介して前記筺体の前記前面パネル側から該筺体に抜き差しされ、前記フィルタによって一部が覆われる開口部Ｂが形成された枠体と、前記枠体に取り付けられて、前記フィルタによって覆われる前記開口部Ｂの第１の領域と該フィルタによって覆われない該開口部Ｂの第２の領域を分ける仕切部材とを備え、前記仕切部材は、前記フィルタを通過後に進行方向を上向きに変えた前記空気を、前記第２の領域を通過させて上方に向かわせることを特徴とする空調装置。
【請求項２】
請求項１記載の空調装置において、前記仕切部材は、前記枠体が前記筺体内に差し込まれることによって、前記ガイド部材に当接し該ガイド部材と一体となって前記吸込口から前記フィルタに続く流路を形成することを特徴とする空調装置。
【請求項３】
請求項１又は２記載の空調装置において、前記ガイド部材は板材であることを特徴とする空調装置。
【発明の詳細な説明】
【技術分野】
【０００１】
本発明は、室内の空調を行う空調装置に関する。
【背景技術】
【０００２】
空調装置には、筺体の下側に空気の吸込口を設け、筺体の上側に空気の吹出口を設けて筺体を縦長にしたものがあり、その具体例が特許文献１に室内機として記載されている。特許文献１には、温度調整機能を備える室内機が記載され、この室内機にフィルタを設ける旨の記載はないが、吸込口にフィルタを設ければ、室内機に空気清浄機能を追加できる。
【０００３】
また、筺体の下側にフィルタを取り付けた吸込口を有し、筺体の上側に吹出口を備え、筺体が縦長の空調装置（空調機）の具体例が特許文献２に記載されている。
特許文献１の室内機や特許文献２の空調装置のように、筺体を縦長に設計することにより、例えば、筺体を床置きする場合に設置スペースの省力化を図ることができる。
【先行技術文献】
【特許文献】
【０００４】
【特許文献１】特開平５−４４９８５号公報
【特許文献２】特開２０００−３３７６５５号公報
【発明の概要】
【発明が解決しようとする課題】
【０００５】
ところで、特許文献１、２には記載されていないが、空調装置は、筺体を壁面に近接させ、吸込口のある側壁部を壁面に向かって配置することにより、吸込口から漏れる音（具体的には、筺体内にあるファンの作動音や筺体内の空気の流動音）が筺体の設置スペースに広がるのを抑えることができることが本願発明者らによって知見された。これは、筺体が防音壁として機能するためであり、このような筺体の配置は、音の伝達を抑制する点で有効である。
【０００６】
これに対し、特許文献２の空調装置のように吸込口にフィルタを設けると、筺体を壁面に近接させ、吸込口がある側壁部を壁面に向かって配置した場合に、フィルタ清掃のためフィルタを取り外す度に筺体を壁面から離す必要があり作業が煩雑となる。更に、筺体の吹出口にダクトが取り付けられているタイプのものは、筺体の移動範囲が制限されるので、そもそも筺体を壁面から離してフィルタを取り外すスペースを筺体と壁面の間に設けることができないという問題があった。
【０００７】
また、フィルタを吸込口でなく、筺体内に設けることも考えられるが、筺体内は下から上に向かって空気が流れているため、単純に、フィルタを空気の流路に配置すると、空気中のダストがフィルタの下面に付着し、筺体内にダストが落下して筺体内を清潔に保てないという問題が生じる。なお、吸込口及び吹出口の配置がそれぞれ筺体の下側及び上側でない場合であっても、筺体内に空気が上向きに進行する流路があり、その流路にフィルタを設けると同様の問題が発生する。
本発明は、かかる事情に鑑みてなされるもので、筺体内に空気を上昇させる流路がある筺体の内側にフィルタを取り付け、フィルタの上面でダストを捕捉する空調装置を提供することを目的とする。
【課題を解決するための手段】
【０００８】
前記目的に沿う本発明に係る空調装置は、空気の吸込口及び該空気の吹出口が形成された筺体と、前記筺体内の空気を前記吹出口から該筺体の外に出すファンとを備えた室内機を有する空調装置において、前記吸込口から前記筺体内に取り込んだ前記空気を下向きに案内するガイド部材と、下向きに進行中の前記空気が通過するフィルタとを前記筺体内に設け、前記筺体に、前記吸込口が形成された背面パネルと、前記背面パネルに対向配置され開口部Ａが形成された前面パネルとを設け、前記フィルタが取り付けられ、前記開口部Ａを介して前記筺体の前記前面パネル側から該筺体に抜き差しされ、前記フィルタによって一部が覆われる開口部Ｂが形成された枠体と、前記枠体に取り付けられて、前記フィルタによって覆われる前記開口部Ｂの第１の領域と該フィルタによって覆われない該開口部Ｂの第２の領域を分ける仕切部材とを備え、前記仕切部材は、前記フィルタを通過後に進行方向を上向きに変えた前記空気を、前記第２の領域を通過させて上方に向かわせる。
【０００９】
【００１０】
【００１１】
本発明に係る空調装置において、前記仕切部材は、前記枠体が前記筺体内に差し込まれることによって、前記ガイド部材に当接し該ガイド部材と一体となって前記吸込口から前記フィルタに続く流路を形成するのが好ましい。
【００１２】
本発明に係る空調装置において、前記ガイド部材は板材であるのが好ましい。
【発明の効果】
【００１３】
本発明に係る空調装置は、吸込口から筺体内に取り込んだ空気を下向きに案内するガイド部材と、下向きに進行中の空気が通過するフィルタとを筺体内に設けるので、フィルタの上面でダストを捕捉することが可能である。
【００１４】
【００１５】
また、仕切部材は、フィルタを通過後に進行方向を上向きに変えた空気を、フィルタによって覆われない開口部Ｂの第２の領域を通過させて上方に向かわせるため、上向きに進む空気がフィルタを通過するのを安定的に回避可能である。
【００１６】
本発明に係る空調装置において、仕切部材が、枠体を筺体内に差し込むことによって、ガイド部材に当接しガイド部材と一体となって吸込口からフィルタに続く流路を形成する場合、吸込口から筺体内に取り込んだ空気を確実にフィルタに向かわせることができる。
【００１７】
本発明に係る空調装置において、ガイド部材が板材である場合、ガイド部材を安価に製造でき、空調装置全体の製造コストを抑制可能である。
【図面の簡単な説明】
【００１８】
【図１】本発明の一実施の形態に係る空調装置の室内機の側断面図である。
【図２】同空調装置の室内機に用いられる枠体の説明図である。
【図３】（Ａ）、（Ｂ）は、同空調装置の室内機に用いられる枠体の筺体への抜き差しを示す説明図である。
【図４】室内機の変形例を示す説明図である。
【発明を実施するための形態】
【００１９】
続いて、添付した図面を参照しつつ、本発明を具体化した実施の形態につき説明し、本発明の理解に供する。
図１に示すように、本発明の一実施の形態に係る空調装置１０は、空気の吸込口１１及び空気の吹出口１２が形成された筺体１３と、筺体１３内の空気を吹出口１２から筺体１３の外に出すファン１４とを備えた室内機１５を有している。以下、詳細に説明する。
【００２０】
空調装置１０は、主として、図１に示す室内機１５及び室内機１５に接続された図示しない室外機によって構成され、室内の温度調整を行う。
室内機１５は内側にファン１４が取り付けられた筺体１３を備え、筺体１３内にはファン１４に加えて熱交換器１６が設けられている。熱交換器１６は図示しない冷媒循環回路を介して室外機に接続され、冷媒循環回路内を流れる冷媒の流れの切り替えによって、蒸発器として機能するか、凝縮器として機能するかが決定される。
【００２１】
筺体１３は縦長の箱状に形成され、側壁部を構成する４つのパネルのうちの１つである背面パネル１７の下側に空気の吸込口１１が設けられ、筺体１３の上面パネル１８に空気の吹出口１２が設けられている。
ここで、吸込口１１が設けられた背面パネル１７の下側とは、背面パネル１７の下側半分の範囲を示す。また、本実施の形態では、吹出口１２が筺体１３の上面パネル１８に設けられているが、吹出口１２を設ける位置は、筺体１３の上側半分の範囲であればよく、例えば、筺体１３の背面パネル１７であってもよい。
【００２２】
ファン１４が作動すると、吸込口１１から筺体１３内に空気が取り込まれ、筺体１３内に取り込まれた空気は、熱交換器１６を通過して加熱、あるいは冷却された後に吹出口１２から筺体１３の外に吹き出される。
そして、吹出口１２から外に出た空気は被空調空間である室内に供給され、室内を冷暖房する。
【００２３】
熱交換器１６は、熱交換器１６が蒸発器として機能するとき、蒸発熱によって熱交換器１６を通過する空気を冷却し、熱交換器１６が凝縮器として機能するとき、凝縮熱によって熱交換器１６を通過する空気を昇温する。
従って、熱交換器１６と室外機を連結する冷媒循環回路内の冷媒の流れを切り替えることにより、室内を冷房するか暖房するかを選択することができる。なお、本実施の形態では、冷媒循環回路内の冷媒の流れの切り替えが、周知の方法である四方弁を用いた方法によって行われている。
【００２４】
筺体１３は、室内機１５が設置される空間（以下、「設置空間」と言う）において、設置空間の壁面１９に近接配置されている。筺体１３の側壁部を構成する４つのパネルの中で、背面パネル１７が壁面１９に最も近い位置に配置され、背面パネル１７は壁面１９を向いて配置されている。
なお、本実施の形態では、壁面１９と背面パネル１７の間隔は、５〜５０ｃｍの範囲である。
【００２５】
筺体１３がこのような位置及び向きで配置されるのは、筺体１３を防音壁として機能させ、吸込口１１を介して筺体１３の外に漏れるファン１４の作動音と空気の流動音の大きさを抑え、設置空間への騒音の伝達を抑制するためである。
本実施の形態では、吹出口１２に、吹出口１２から吹き出された空気を室内に導くダクト２０が接続されているので、吹出口１２を介して筺体１３の外側に漏れるファン１４の作動音の大きさはダクト２０によって抑制されている。
【００２６】
筺体１３は、背面パネル１７に対向配置され、壁面１９から遠ざかった位置にある前面パネル２１を備え、その前面パネル２１に開口部２２（開口部Ａ）が形成されている。開口部２２は、横長の長方形であり、前面パネル２１の下側に設けられている。
また、筺体１３には、開口部２２から筺体１３内に抜き差しされる枠体２３が設けられている。枠体２３は、図１、図２に示すように、枠体２３が筺体１３に差し込まれた状態で、開口部２２を閉じる、開口部２２より大きい閉鎖板２４と、閉鎖板２４に連結され、平面視してコ字状のフィルタ支持材２５を備えている。
【００２７】
閉鎖板２４は、閉鎖板２４が開口部２２を閉じた状態で、前面パネル２１の開口部２２の外周に当接するシール材２４ａを備え、開口部２２から筺体１３内の空気が漏れるのを防いでいる。
フィルタ支持材２５は左右及び後側に側壁部を備えている。そして、閉鎖板２４に連結され、フィルタ支持材２５の前側を構成する２つの垂直板部２５ａ、２５ｂが互いに間隔を空けて設けられ、フィルタ支持材２５の左右の側壁部の下部にはそれぞれ内側に突出し前後に長い水平板部が連結されている。なお、２つの水平板部も互いに間隔を空けて配置されている。
フィルタ支持材２５は、枠体２３を筺体１３に差し込んだ状態で、全体が筺体１３の内側に配置される。
【００２８】
筺体１３から取り出された状態の枠体２３は、まず、図３（Ａ）に示すように、フィルタ支持材２５が開口部２２から筺体１３内に挿入された状態で後方（前面パネル２１から背面パネル１７の方向）に押されることによって、図３（Ｂ）に示すように、筺体１３に差し込まれた状態となる。
また、筺体１３に差し込まれた枠体２３は、前方（背面パネル１７から前面パネル２１の方向）に引かれることで、筺体１３の前方側に抜き出される。
なお、図１に示すように、筺体１３には、枠体２３の抜き差し動作を案内するガイド金具２６、２６ａが取り付けられている。
【００２９】
枠体２３には、図１、図２に示すように、一体となった閉鎖板２４及びフィルタ支持材２５に囲まれた開口部２７（開口部Ｂ）が設けられ、その開口部２７の一部は、フィルタ支持材２５に取り付けられたエアフィルタ（フィルタの一例）２８によって覆われている。
本実施の形態では、開口部２７はフィルタ支持材２５の２つの水平板部の間の空間を示し、エアフィルタ２８は開口部２７の後側半分を覆っている。
以下、開口部２７のエアフィルタ２８によって覆われる領域を第１の領域２９とし、開口部２７のエアフィルタ２８によって覆わない領域、即ち、開口部２７の前側半分を第２の領域３０とする。
【００３０】
エアフィルタ２８は、エアフィルタ２８を通過した空気から、ダストを取り除くフィルタであって、フィルタ支持材２５に当接した状態で、フィルタ支持材２５に固定されている。
エアフィルタ２８はフィルタ支持材２５に固定されているので、枠体２３を筺体１３から抜き出すことで、エアフィルタ２８を、開口部２２を介して筺体１３から外側に取り出すことが可能である。
【００３１】
フィルタ支持材２５には、矩形の金属板を、その金属板の一側と他側を同方向に９０°折り曲げて形成された仕切部材３１が取り付けられている。仕切部材３１は、フィルタ支持材２５に取り付けられて、第１の領域２９と第２の領域３０を分ける位置に配置され、仕切部材３１の９０°折り曲げられた一側は、側面視して、フィルタ支持材２５の上側に突出している。そして、仕切部材３１は、９０°折り曲げられた他側がフィルタ支持材２５に当接している。
なお、仕切部材３１は、折り曲げられた一側及び他側が水平に配置された状態で、フィルタ支持材２５に固定されている。
【００３２】
また、背面パネル１７の内側には、図１に示すように、金属板（板材の一例）の一側を折り曲げて形成したガイド部材３２が固定されている。
ガイド部材３２は、折り曲げ加工された側の反対側（他側）が背面パネル１７の吸込口１１の上位置に固定されている。ガイド部材３２は、筺体１３内において、前方斜め下に延びて形成され、ガイド部材３２の折り曲げられた折り曲げ部３３は、垂直（鉛直）に配置され、折り曲げ部３３には、シール材３４が貼り付けられている。
【００３３】
仕切部材３１は、枠体２３が筺体１３に差し込まれた状態で、シール材３４を介して折り曲げ部３３に当接し、ガイド部材３２と一体となって吸込口１１からエアフィルタ２８に続く流路３５を形成する。
このため、ファン１４の作動により吸込口１１から筺体１３内に取り込まれた空気は、ガイド部材３２によって下向きに案内され流路３５に沿って進み、下向き（鉛直方向だけでなく斜め下向きを含む）に進みながらエアフィルタ２８を通過する。従って、吸込口１１から筺体１３内に進入した空気に含まれるダストは、エアフィルタ２８の上面に付着し、エアフィルタ２８により捕捉される。
【００３４】
筺体１３内に取り込まれた空気は、エアフィルタ２８を通過後に、進行方向を前方に変え、その後に上向きに変える。そして、仕切部材３１は、閉鎖板２４及びフィルタ支持材２５と共に、上向きに進む空気を第２の領域３０に案内し、更に第２の領域３０を通過させて吹出口１２に向かわせる。
【００３５】
また、室内機１５では、折り曲げ部３３が垂直に配置されたガイド部材３２及び一側及び他側が９０°折り曲げられた仕切部材３１を用いているが、その他の形状のガイド部材及び仕切部材を採用することもできる。
以下、室内機１５の変形例である室内機４０について説明する。なお、室内機１５と同一の構成要素については同一の符号を付して詳しい説明を省略する。
【００３６】
室内機４０は、図４に示すように、一側が４５°に折り曲げられた仕切部材４１と、折り曲げ加工によって前側（先部）に折り曲げ部４２が形成されたガイド部材４３を備えている。
前方斜め上方に折り曲げられた折り曲げ部４２にはシール材４４が貼り付けられ、仕切部材４１は、４５°に折り曲げられた面をシール材４４を介して折り曲げ部４２に当接することで、ガイド部材４３と一体となり、吸込口１１からエアフィルタ２８に続く流路３５を形成する。
【００３７】
以上、本発明の実施の形態を説明したが、本発明は、上記した形態に限定されるものでなく、要旨を逸脱しない条件の変更等は全て本発明の適用範囲である。
例えば、空調装置は、室内の温度調整を行うものに限定されず、加湿装置や除湿装置、あるいは空気浄化装置やイオン発生装置等であってもよく、本発明はフィルタを備える空調装置全般に適用可能である。
また、空調装置は、筺体内に圧縮器や凝縮器、蒸発器を収納した一体型の、所謂パッケージタイプのものであっても良い。
そして、フィルタ支持材は、例えば、金属製のものでもよいし、樹脂製のものでもよい。
更に、吹出口は筺体の上面ではなく、側壁に設けることができ、そもそも本発明は筺体内に空気が上側に進行する空気流のある空調装置に対して適用可能であり、そのような空気流を筺体内に備えていれば吹出口を筺体の下側に設け吸込口を筺体の上側に設けていてもよい。
また、シール材はガイド部材に取り付けられる代わりに、仕切部材に取り付けることができる。
【符号の説明】
【００３８】
１０：空調装置、１１：吸込口、１２：吹出口、１３：筺体、１４：ファン、１５：室内機、１６：熱交換器、１７：背面パネル、１８：上面パネル、１９：壁面、２０：ダクト、２１：前面パネル、２２：開口部、２３：枠体、２４：閉鎖板、２４ａ：シール材、２５：フィルタ支持材、２５ａ、２５ｂ：垂直板部、２６、２６ａ：ガイド金具、２７：開口部、２８：エアフィルタ、２９：第１の領域、３０：第２の領域、３１：仕切部材、３２：ガイド部材、３３：折り曲げ部、３４：シール材、３５：流路、４０：室内機、４１：仕切部材、４２：折り曲げ部、４３：ガイド部材、４４：シール材
【要約】
【課題】筺体内に空気を上昇させる流路がある筺体の内側にフィルタを取り付け、フィルタの上面でダストを捕捉する空調装置を提供する。
【解決手段】下側に空気の吸込口１１が形成され上側に空気の吹出口１２が形成された筺体１３と、筺体１３内の空気を吹出口１２から筺体１３の外に出すファン１４とを備えた室内機１５を有する空調装置１０において、吸込口１１から筺体１３内に取り込んだ空気を下向きに案内するガイド部材３２と、下向きに進行中の空気が通過するフィルタ２８とを筺体１３内に設ける。
【選択図】図１【図１】
0005204909.tif 000002
【図２】
0005204909.tif 000003
【図３】
0005204909.tif 000004
【図４】
0005204909.tif 000005